(57)【要約】【課題】乗車時に予測した事前確定運賃について、目的地に到着した際に、実際の走行状態に応じて補正した確定運賃を提示することのできるタクシーメータシステムを提供する。【解決手段】位置情報取得部は、乗車した時点の第１の位置情報Ｄ１と、目的地に到着するまでの第２の位置情報Ｄ３との取得を行い、データ生成部は、第１の位置情報および目的地情報に基づいて予測される事前確定運賃データＤ２を生成し、第２の位置情報に基づいて事前確定運賃データを補正する運賃補正データＤ４を生成し、運賃算出部は、事前確定運賃データに基づいて事前確定運賃を算出し、運賃補正データに基づいて事前確定運賃を補正した確定運賃を算出し、乗車した際には事前確定運賃を表示し、目的地に到着した際には確定運賃を表示する。【選択図】図１
2020154355.tif 000002
【特許請求の範囲】
【請求項１】
車両の位置情報を取得する位置情報取得部と、
運賃を管理する運賃管理サーバと通信を行う通信部と、
前記運賃管理サーバから送信されるデータに基づいて運賃を算出する運賃算出部と、
該運賃算出部で算出された運賃を表示する表示部と
を備え、前記車両に搭載されるタクシーメータと、
前記タクシーメータから送信される前記車両の位置情報に基づいて、運賃に関するデータを生成するデータ生成部と、
前記タクシーメータとの間で通信を行うサーバ側通信部と
を備え、前記タクシーメータと無線通信により接続される運賃管理サーバと、
から構成され、
前記位置情報取得部は、前記車両に乗客が乗車した時点の第１の位置情報と、前記車両が目的地に到着するまでの第２の位置情報との取得を行い、
前記データ生成部は、前記第１の位置情報および乗客によって指定される目的地情報に基づいて予測される事前確定運賃データを生成し、また前記第２の位置情報に基づいて前記事前確定運賃データを補正する運賃補正データを生成し、
前記運賃算出部は、前記事前確定運賃データに基づいて事前確定運賃を算出し、また前記運賃補正データに基づいて前記事前確定運賃を補正した確定運賃を算出し、
前記表示部は、前記車両に乗客が乗車した際には前記事前確定運賃を表示し、前記車両が目的地に到着した際には前記確定運賃を表示することを特徴とするタクシーメータシステム。
【請求項２】
前記車両から出力される走行状態を示す走行パルスに基づいて、乗車地から前記目的地までの実走運賃に相当するメータ値を算出するメータ値算出部を備え、
前記運賃算出部は、
前記事前確定運賃と前記メータ算出値との誤差が所定値を超えた場合に、前記運賃補正データに基づいて前記事前確定運賃の補正を行うことを特徴とする請求項１に記載のタクシーメータシステム。
【請求項３】
前記運賃算出部は、前記運賃補正データの補正値が所定の閾値以上である場合に前記事前確定運賃の補正を行い、所定値未満である場合には補正を行わずに前記事前確定運賃を確定運賃とすることを特徴とする請求項１または請求項２に記載のタクシーメータシステム。
【請求項４】
前記運賃算出部は、前記運賃補正データによる補正額が、所定金額を越えた場合には、補正を行わずに前記事前確定運賃を確定運賃とすることを特徴とする請求項１から請求項３の何れか１項に記載のタクシーメータシステム。
【請求項５】
前記事前確定運賃を補正した場合に、運賃を補正した旨を前記乗客に報知する報知部を備えることを特徴とする請求項１から請求項４の何れか１項に記載のタクシーメータシステム。
【発明の詳細な説明】
【技術分野】
【０００１】
本発明は、タクシーの運賃を補正可能なタクシーメータシステムに関する。
【背景技術】
【０００２】
従来から、タクシー運賃の算出や表示等を行うタクシーメータシステムにおいて、乗客の乗車時に、乗車地と目的地の位置情報に基づいて、事前確定運賃（仮運賃）を予測して提示する技術が提案されている（例えば、特許文献１）。
【０００３】
これにより、乗客は、乗車時において、予測される目的地までの運賃の概算（事前確定運賃）を知ることができ、安心して乗車できると共に、支払いの準備を予め行うことができるなどのメリットを得ることができる。
【先行技術文献】
【特許文献】
【０００４】
【特許文献１】特開２００３−１１５０６１号公報
【発明の概要】
【発明が解決しようとする課題】
【０００５】
ところが、従来における事前確定運賃は、地図情報等で乗車地から目的地までの距離を算出し、予測される走行時間等をもとに算出するため、車両から出力される走行パルスに基づいて実走運賃を算出する場合に比して、実際に請求する運賃（確定運賃）との間に誤差を生じ易いという不都合があった。
【０００６】
本発明は、上記課題に鑑みてなされたものであり、乗車時に予測した事前確定運賃について、目的地に到着した際に、実際の走行状態に応じて補正した確定運賃を提示することのできるタクシーメータシステムを提供することを目的とする。
【課題を解決するための手段】
【０００７】
上記目的を達成するため、本発明に係るタクシーメータシステムは、車両の位置情報を取得する位置情報取得部と、運賃を管理する運賃管理サーバと通信を行う通信部と、前記運賃管理サーバから送信されるデータに基づいて運賃を算出する運賃算出部と、該運賃算出部で算出された運賃を表示する表示部とを備え、前記車両に搭載されるタクシーメータと、前記タクシーメータから送信される前記車両の位置情報に基づいて、運賃に関するデータを生成するデータ生成部と、前記タクシーメータとの間で通信を行うサーバ側通信部とを備え、前記タクシーメータと無線通信により接続される運賃管理サーバとから構成され、前記位置情報取得部は、前記車両に乗客が乗車した時点の第１の位置情報と、前記車両が目的地に到着するまでの第２の位置情報との取得を行い、前記データ生成部は、前記第１の位置情報および乗客によって指定される目的地情報に基づいて予測される事前確定運賃データを生成し、また前記第２の位置情報に基づいて前記事前確定運賃データを補正する運賃補正データを生成し、前記運賃算出部は、前記事前確定運賃データに基づいて事前確定運賃を算出し、また前記運賃補正データに基づいて前記事前確定運賃を補正した確定運賃を算出し、前記表示部は、前記車両に乗客が乗車した際には前記事前確定運賃を表示し、前記車両が目的地に到着した際には前記確定運賃を表示することを要旨とする。
【発明の効果】
【０００８】
本発明によれば、乗車時に予測した事前確定運賃について、目的地に到着した際に、実際の走行状態に応じて補正した確定運賃を提示することのできるタクシーメータシステムを提供することができる。
【図面の簡単な説明】
【０００９】
【図１】実施の形態に係るタクシーメータシステムの機能構成を示す機能ブロック図である。
【図２】実施の形態に係るタクシーメータシステムの構成例を示すブロック図である。
【図３】実施の形態に係るタクシーメータシステムによる運賃の提示例を示す説明図である。
【図４】比較対象に係るタクシーメータシステムによる運賃の提示例を示す説明図である。
【図５】実施の形態に係るタクシーメータシステムで実行される運賃補正処理の処理手順の例を示すフローチャートである。
【発明を実施するための形態】
【００１０】
図１〜図５を参照して、本発明の実施の形態に係るタクシーメータシステムＳ１等について説明する。
【００１１】
（タクシーメータシステムの機能構成）
図１を参照して、本実施の形態に係るタクシーメータシステムＳ１の機能構成について説明する。
図１に示すように、タクシーメータシステムＳ１は、車両に搭載されるタクシーメータＴＭ１と、外部に設置されて運賃を管理する運賃管理サーバＳＡ１とから構成される。タクシーメータＴＭ１と運賃管理サーバＳＡ１とは、無線通信を介して接続されている。
【００１２】
タクシーメータＴＭ１は、車両の位置情報を取得するＧＰＳ受信器等で構成される位置情報取得部６１、運賃管理サーバＳＡ１と通信を行う通信部７０、運賃管理サーバＳＡ１から送信されるデータに基づいて運賃を算出するＣＰＵ等で構成される運賃算出部５１、車両から出力される走行状態を示す走行パルスＰ１に基づいて、乗車地から目的地までの実走運賃に相当するメータ値を算出するメータ値算出部５２、運賃算出部５１で算出された運賃を表示する液晶表示装置等で構成される表示部５５、運賃等を印字出力する印字部６５、確定運賃等を乗客に音声で報知するスピーカ等で構成される報知部８０等を備える。
【００１３】
運賃管理サーバＳＡ１は、タクシーメータＴＭ１から送信される車両の位置情報に基づいて、運賃に関するデータを生成するデータ生成部１００と、タクシーメータＴＭ１との間で通信を行うサーバ側通信部１０１等を備える。
【００１４】
そして、タクシーメータＴＭ１の位置情報取得部６１は、車両に乗客が乗車した時点の第１の位置情報Ｄ１と、車両が目的地に到着するまでの第２の位置情報Ｄ３との取得を行う。
【００１５】
また、運賃管理サーバＳＡ１のデータ生成部１００は、第１の位置情報Ｄ１および乗客によって指定される目的地情報に基づいて予測される事前確定運賃データＤ２を生成する。
さらに運賃管理サーバＳＡ１のデータ生成部１００は、第２の位置情報Ｄ３に基づいて事前確定運賃データＤ２を補正する運賃補正データＤ４を生成する。
【００１６】
タクシーメータＴＭ１の運賃算出部５１は、事前確定運賃データＤ２に基づいて事前確定運賃を算出し、また運賃補正データＤ４に基づいて事前確定運賃を補正した確定運賃を算出する。
そして、タクシーメータＴＭ１の表示部５５は、車両に乗客が乗車した際には事前確定運賃を表示し、車両が目的地に到着した際には確定運賃を表示する。
【００１７】
これにより、乗車時に予測した事前確定運賃について、目的地に到着した際に、実際の走行状態に応じて補正した確定運賃を提示することができ、乗客に不利とならない適切な運賃を請求して、サービスの向上を図ることができる。
【００１８】
また、運賃算出部５１は、事前確定運賃とメータ値算出部５２で算出されたメータ値との誤差が所定値（例えば、「０」）を超えた場合に、運賃補正データＤ４に基づいて事前確定運賃の補正を行うようにできる。
この場合に、運賃算出部５１は、乗車地から所定距離（例えば、１０ｍ等）毎に、事前確定運賃とメータ値との誤差を算出して集計するようにできる。
【００１９】
また、事前確定運賃について、乗車地から所定距離（例えば、１０ｍ等）毎に経過運賃を算出し、その経過運賃とメータ値算出部５２で算出されたメータ値との誤差を算出するようにしてもよい。
そして、これらの誤差が所定値を超えた場合に、運賃補正データＤ４に基づいて事前確定運賃の補正を行うようにできる。
【００２０】
また、所定距離（例えば、１０ｍ等）毎に比較した経過運賃の誤差が継続的に変化した場合や、同じ誤差が連続して計測された場合に、運賃補正データＤ４に基づいて事前確定運賃の補正を行うようにしてもよい。
【００２１】
さらに、誤差が、所定金額の範囲内で上がり下がりを繰り返す場合には、運賃の補正を行わないようにしてもよい。これにより、誤差の瞬間的な変化により確定運賃が影響を受けることを防止することができる。
【００２２】
また、運賃算出部５１が、運賃補正データＤ４に基づいて事前確定運賃の補正を行うタイミングは、車両が目的地に着く前の所定距離（例えば、目的地の３００ｍ手前等）に達した時点とすることができる。
【００２３】
このように、事前確定運賃とメータ値との間に所定の誤差が有る場合に、事前確定運賃を補正することができ、より適切な運賃請求を行って、サービスの一層の向上を図ることができる。
【００２４】
また、運賃算出部５１は、運賃補正データＤ４の補正値が所定の閾値以上である場合に事前確定運賃の補正を行い、所定値未満である場合には補正を行わずに事前確定運賃を確定運賃とするようにしてもよい。
【００２５】
また、運賃算出部５１は、運賃補正データＤ４による補正額が、所定金額（例えば、２４０円等）を越えた場合には、補正を行わずに事前確定運賃を確定運賃とするようにしてもよい。これにより、乗客に不利とならない適切な運賃を請求して、サービスの一層の向上を図ることができる。
また、事前確定運賃を補正した場合には、報知部８０から「交通状況等により運賃を補正した旨」を乗客に音声で報知するようにしてもよい。これにより、乗客は、到着時の確定運賃が、乗車時の事前確定運賃と異なることに不信感等を抱かずに支払いを行うことができる。
【００２６】
（タクシーメータシステムの構成例）
図２を参照して、本実施の形態に係るタクシーメータシステムＳ１の構成例について説明する。
タクシーメータシステムＳ１は、タクシーメータＴＭ１と、運賃管理サーバＳＡ１とから構成されている。
運賃管理サーバＳＡ１は、一般的なサーバ装置を適用可能であり、上述のようにデータ生成部１００、サーバ側通信部１０１等を備えている。
タクシーメータＴＭ１は、タクシー（車両）上に搭載され、例えばカーナビゲーションユニット（所謂カーナビ）機能、タクシーメータ機能等を備えている。
カーナビ機能としては、例えば車両の現在位置を検出する機能や、現在位置を含む地図の情報を出力する機能などが含まれる。
【００２７】
図２に示す構成例では、タクシーメータＴＭ１の内部に、運賃算出部５１、メータ値算出部５２等を構成するマイクロコンピュータ（ＣＰＵ）１５１、演算処理の作業領域等を構成する記憶部（ＲＡＭ）５２、演算プログラム等のソフトウェアや各種データを格納する固定情報記憶部（ＲＯＭ）５３、カードインタフェース５４、表示部（ＬＣＤ）５５、インタフェース５６、５７、５９、６０および演算タイミング等を図るクロック信号を生成する時計ＩＣ（ＲＴＣ）５８、位置情報取得部を構成するＧＰＳ（Ｇｌｏｂａｌ  Ｐｏｓｉｔｉｏｎｉｎｇ  Ｓｙｓｔｅｍ）受信器６１、各種データを書き込み可能なメモリカード６４を装着可能なカードＲ／Ｗインタフェース５４、空車、賃走、累計、迎車等の操作を行う操作部４０ａ、４０ｂ、運賃管理サーバＳＡ１との間で第１の位置情報Ｄ１、事前確定運賃データＤ２，第２の位置情報Ｄ３、運賃補正データＤ４等の送受信を行う通信部７０、報知部を構成するスピーカ８０、印字部を構成する感熱式等のプリンタ６５等が設けられている。
メモリカード６４には、例えば、乗務員の認証に必要なデータ、タクシー車両の走行履歴、運賃履歴等の営業データや時系列データ等を保存する。
なお、マイクロコンピュータ（ＣＰＵ）１５１には、車両から出力される走行パルスＰ１が入力され、実走運賃に相当するメータ値を算出する。
【００２８】
そして、タクシーメータＴＭ１と運賃管理サーバＳＡ１との間では、無線通信を介して第１の位置情報Ｄ１、事前確定運賃データＤ２、第２の位置情報Ｄ３、運賃補正データＤ４等が送受信されるようになっている。
【００２９】
（運賃の提示例）
図３および図４を参照して、本実施の形態に係るタクシーメータシステムＳ１および比較対象に係るタクシーメータシステムＳ１００による運賃の提示例について説明する。
【００３０】
図３に示すように、乗客の乗車時において、タクシーメータＴＭ１は、車両の乗車地の位置および目的地に関する情報を「第１の位置情報Ｄ１」として運賃管理サーバＳＡ１に送信する。
そして、タクシーメータＴＭ１は、運賃管理サーバＳＡ１から送信されて来る「事前確定運賃データＤ２」に基づいて、事前確定運賃を算出する。
算出された事前確定運賃は、表示部５５の表示領域２０ｂおよび２０ｃに、仮運賃（事前確定運賃に相当）として、例えば「２０００円」と表示される。
なお、表示領域２０ａは、車両（タクシー）が賃走状態である旨を表示する。
【００３１】
タクシーメータＴＭ１に仮運賃（事前確定運賃）を表示することにより、乗客は、乗車時において、予測される目的地までの運賃の概算（仮運賃）を知ることができ、安心して乗車できると共に、支払いの準備を予め行うことができる。
【００３２】
そして、車両（タクシー）が走行を開始して目的地に到着するまでの間において、タクシーメータＴＭ１は、車両の位置に関する情報を「第２の位置情報Ｄ３」として運賃管理サーバＳＡ１に送信する。
運賃管理サーバＳＡ１は、「第２の位置情報Ｄ３」に基づいて「運賃補正データＤ４」を算出し、タクシーメータＴＭ１に対して送信する。
【００３３】
タクシーメータＴＭ１は、運賃管理サーバＳＡ１から送信されて来る「運賃補正データＤ４」に基づいて、仮運賃（事前確定運賃）を補正した確定運賃の算出を行う。
【００３４】
なお、タクシーメータＴＭ１は、走行パルスＰ１に基づいて、実走運賃に相当するメータ値も算出しており、事前確定運賃との誤差の程度に応じて補正を行うか否かの決定を行う。この処理手順の例については、フローチャート（図５）に基づいて後述する。
【００３５】
そして、タクシーメータＴＭ１は、車両の到着時において、表示部５５の表示領域２０ｂおよび２０ｃに、補正を行った確定運賃として、例えば「１８００円」と表示する。
【００３６】
これにより、乗車時に予測した事前確定運賃について、目的地に到着した際に、実際の走行状態に応じて補正した確定運賃を提示することができ、乗客に不利とならない適切な運賃を請求して、サービスの向上を図ることができる。
【００３７】
また、事前確定運賃を補正した場合には、タクシーメータＴＭ１が備える報知部（スピーカ）８０で、「運賃を補正した旨」を乗客に音声で報知するようにしてもよい。これにより、乗客は、到着時の確定運賃が、乗車時の仮運賃（事前確定運賃）と異なることに不信感等を抱かずに支払いを行うことができる。
【００３８】
なお、仮運賃（事前確定運賃）を補正したことへの理由付けとして、例えば「交通状況割引として、２００円減額しました。」等のメッセージを表示または音声で出力するようにしてもよい。
【００３９】
また、乗客有利の思想から、補正した場合の確定運賃が、仮運賃（事前確定運賃）を越える場合には補正を行わずに、仮運賃（事前確定運賃）を「確定運賃」として提示するように運用してもよい。
【００４０】
一方、図４に示すように、比較対象に係るタクシーメータシステムＳ１００では、乗客の乗車時において、タクシーメータＴＭ２は、車両の乗車地の位置および目的地に関する情報を「位置情報Ｄ１００」として運賃管理サーバＳＡ２に送信する。
そして、タクシーメータＴＭ２は、運賃管理サーバＳＡ２から送信されて来る「事前確定運賃データＤ１０１」に基づいて、事前確定運賃を算出する。
算出された事前確定運賃は、表示部５５の表示領域２０ｂおよび２０ｃに、仮運賃（事前確定運賃に相当）として、例えば「２０００円」と表示される。
【００４１】
ところが、タクシーメータシステムＳ１００では、到着時においても補正等の処理は行わずに、仮運賃（事前確定運賃）をそのまま「確定運賃」として表示する。
そのため、実走運賃が仮運賃（事前確定運賃）より低額であったような場合には、割高の運賃を請求することとなり、乗客とトラブルのもとにも成りかねないという不都合がある。
【００４２】
（運賃補正処理について）
次に、図５のフローチャートを参照してタクシーメータシステムＳ１で実行される運賃補正処理の処理手順の例について説明する。
【００４３】
この処理が開始されると、ステップＳ１０で車両の走行距離が所定距離（例えば１０ｍ）に到達したか否かが判定される。この際に、距離の取得は、地図データおよび位置情報取得部６１による第１の位置情報Ｄ１および第２の位置情報Ｄ３に基づいて行ってもよいし、車両から出力される走行パルスＰ１に基づいて算出してもよい。
そして、判定結果が「Ｎｏ」の場合には同様の処理を繰り返し、「Ｙｅｓ」の場合にはステップＳ１１に移行する。
ステップＳ１１では、運賃の誤差を「誤差＝事前確定運賃−メータ値」の式で算出する。
この際に、事前確定運賃は、前述の事前確定運賃データＤ２に基づいて算出される。
【００４４】
ここで、メータ値は、車両から出力される走行状態を示す走行パルスＰ１に基づいて、メータ値算出部５２で算出される乗車地から前記目的地までの実走運賃に相当する値である。
【００４５】
次いで、ステップＳ１２に移行して、運賃確定地点（目的地）に到達したか否かが判定され、「Ｎｏ」の場合にはステップＳ１０に戻り、「Ｙｅｓ」の場合にはステップＳ１３に移行する。
【００４６】
ステップＳ１３では、誤差＞０であるか否かが判定される。なお、「０」は、変更可能な閾値（所定値）であり、タクシー会社等によって、「０」以外に設定することもできる。
そして、判定結果が「Ｎｏ」の場合には、運賃の補正を行わずに処理を終了する。
【００４７】
また、判定結果が「Ｙｅｓ」の場合には、ステップＳ１４に移行して、確定運賃を「確定運賃＝事前確定運賃−誤差」の式で算出して、ステップＳ１５に移行する。
ステップＳ１５では、表示部５５に表示している仮運賃（事前確定運賃）を更新（補正）して、確定運賃を表示部５５に表示して処理を終了する。
【００４８】
以上、本発明のタクシーメータシステムを図示の実施形態に基づいて説明したが、本発明はこれに限定されるものではなく、各部の構成は、同様の機能を有する任意の構成のものに置き換えることができる。
【符号の説明】
【００４９】
Ｓ１…タクシーメータシステム
ＳＡ１…運賃管理サーバ
ＴＭ１…タクシーメータ
５１…運賃算出部
５２…メータ値算出部
５５…表示部
６１…位置情報取得部
６５…印字部（プリンタ）
７０…通信部
８０…報知部（スピーカ）
１００…データ生成部
１０１…サーバ側通信部
１５１…ＣＰＵ（マイコン）
Ｐ１…走行パルス
Ｄ１…第１の位置情報
Ｄ２…事前確定運賃データ
Ｄ３…第２の位置情報
Ｄ４…運賃補正データ
【図１】
2020154355.tif 000003
【図２】
2020154355.tif 000004
【図３】
2020154355.tif 000005
【図４】
2020154355.tif 000006
【図５】
2020154355.tif 000007